(57)【要約】【課題】石綿含有屋根材を野地板等から外す場合の釘抜き時にできる限り石綿粉塵の発生しない石綿含有屋根材の止め釘の抜き具を提供する。【解決手段】石綿含有屋根材３１を止めている釘１１の頭部１２を引っかけるＶ字状切り込み１３が先部に形成された第１の釘頭掛止部１４と、第１の釘頭掛止部１４の基部に第１の折れ曲がり部１５を介して連接される柄部１６とを有し、第１の釘頭掛止部１４の底面１９は平面状となって、しかも第１の釘頭掛止部１４の先部は平刃状となってその中央にＶ字状切り込み１３が形成されている。【選択図】図１
0003131133.tif 000002
【実用新案登録請求の範囲】
【請求項１】
石綿含有屋根材を止めている釘の頭部を引っかけるＶ字状切り込みが先部に形成された第１の釘頭掛止部と、該第１の釘頭掛止部の基部に第１の折れ曲がり部を介して連接される柄部とを有する石綿含有屋根材の止め釘の抜き具であって、
前記第１の釘頭掛止部の底面は平面状となって、しかも該第１の釘頭掛止部の先部は平刃状となってその中央に前記Ｖ字状切り込みが形成されていることを特徴とする石綿含有屋根材の止め釘の抜き具。
【請求項２】
請求項１記載の石綿含有屋根材の止め釘の抜き具において、前記柄部の基側にも、前記第１の釘頭掛止部と同一形状の第２の釘頭掛止部が第２の折れ曲がり部を介して設けられていることを特徴とする石綿含有屋根材の止め釘の抜き具。
【請求項３】
請求項１および２のいずれか１項に記載の石綿含有屋根材の止め釘の抜き具において、掃除機のホースに連接される接続口を有し、前記第１の釘頭掛止部の周囲には釘抜き時に発生する粉塵を吸引するカバー部が設けられていることを特徴とする石綿含有屋根材の止め釘の抜き具。
【請求項４】
請求項３記載の石綿含有屋根材の止め釘の抜き具において、前記第１の釘頭掛止部の基側または前記第１の折れ曲がり部には水平孔が設けられ、前記カバー部とは前記水平孔に挿通するピンによって連結されていることを特徴とする石綿含有屋根材の止め釘の抜き具。
【考案の詳細な説明】
【技術分野】
【０００１】
本考案は、屋根組（例えば、野地板）に釘付けされた石綿を含有する屋根材を外す場合、石綿含有屋根材を止めていた釘を抜く場合に使用する石綿含有屋根材の止め釘の抜き具に関する。
【背景技術】
【０００２】
例えば、特許文献１に記載のように、従来から石綿スレートを瓦などの下に敷く屋根材として用いることが提案されているが、近年石綿は発癌性があるということで撤廃の方向に向かっている。この石綿スレートは野地板の上に載せて釘付けされているのが一般的であるので、石綿スレートを除去する前に、釘抜きを使ってこの釘を抜く必要があった。
図３（Ａ）に示すように、従来の釘抜き５０は、釘の頭部を引っかけるＶ字状切り込み５１が先部に形成された釘頭掛止部５２と、釘頭掛止部５２の基部に折れ曲がり部５３を介して連接される柄部５４とを有し、この柄部５４の基側にも別の釘頭掛止部５５が設けられているのが一般的であった。
【０００３】
【特許文献１】特開平５−５２００５号公報
【考案の開示】
【考案が解決しようとする課題】
【０００４】
しかしながら、従来の釘抜き５０の釘頭掛止部５２、５５は、図３（Ｃ）に示すように、底面５６が断面円弧状となって、更に、図３（Ｂ）に示すように平面視した場合、先側に細くなって、ハンマーなどで釘頭掛止部５２の尻部５７を叩くと、釘が止まっている木材に食い込むようになっていた。このため、このような構造の釘抜きを使うと、釘の頭部が位置する近傍の石綿スレートが破れ、更にハンマーの衝撃もあって、大量の石綿粉塵が飛散するという問題があった。
【０００５】
本考案はかかる事情に鑑みてなされたもので、石綿含有屋根材（例えば、石綿スレート）を野地板等から外す場合の釘抜き時にできる限り石綿粉塵の発生しない石綿含有屋根材の止め釘の抜き具を提供することを目的とする。
【課題を解決するための手段】
【０００６】
前記目的に沿う第１の考案に係る石綿含有屋根材の止め釘の抜き具は、石綿含有屋根材を止めている釘の頭部を引っかけるＶ字状切り込みが先部に形成された第１の釘頭掛止部と、該第１の釘頭掛止部の基部に第１の折れ曲がり部を介して連接される柄部とを有する石綿含有屋根材の止め釘の抜き具であって、
前記第１の釘頭掛止部の底面は平面状となって、しかも該第１の釘頭掛止部の先部は平刃状となってその中央に前記Ｖ字状切り込みが形成されている。
【０００７】
また、第２の考案に係る石綿含有屋根材の止め釘の抜き具は、第１の考案に係る石綿含有屋根材の止め釘の抜き具において、前記柄部の基側にも、前記第１の釘頭掛止部と同一形状の第２の釘頭掛止部が第２の折れ曲がり部を介して設けられている。
【０００８】
第３の考案に係る石綿含有屋根材の止め釘の抜き具は、第１および第２の考案に係る石綿含有屋根材の止め釘の抜き具において、掃除機のホースに連接される接続口を有し、前記第１の釘頭掛止部の周囲には釘抜き時に発生する粉塵を吸引するカバー部が設けられている。
【０００９】
第４の考案に係る石綿含有屋根材の止め釘の抜き具は、第３の考案に係る石綿含有屋根材の止め釘の抜き具において、前記第１の釘頭掛止部の基側または前記第１の折れ曲がり部には水平孔が設けられ、前記カバー部とは前記水平孔に挿通するピンによって連結されている。
【考案の効果】
【００１０】
請求項１〜４記載の石綿含有屋根材の止め釘の抜き具は、第１の釘頭掛止部の底面は平面状となって、しかも第１の釘頭掛止部の先部は平刃状となっているので、釘頭掛止部の先が石綿含有屋根材に食い込まず、結果として石綿含有屋根材への損傷が最少となるので、発生する粉塵の量が少なくなる。
なお、石綿含有屋根材に打ち込んだ釘は、石綿含有屋根材の形状を保ちながら（即ち、石綿含有屋根材の破損を防ぐようにして）打ち込まれ、更に石綿含有屋根材は木材などに比較して柔らかいので、平刃状となった釘頭掛止部であっても、釘の頭部をＶ字状切り込みに掛合させることは容易である。
【００１１】
特に、請求項２記載の石綿含有屋根材の止め釘の抜き具は、柄部の基側にも、第１の釘頭掛止部と同一形状の第２の釘頭掛止部が第２の折れ曲がり部を介して設けられているので、釘の打ち込み場所および大きさによって、第１、第２の釘頭掛止部を使い分けて使用できる。
【００１２】
請求項３記載の石綿含有屋根材の止め釘の抜き具は、掃除機のホースに連接される接続口を有し、第１の釘頭掛止部の周囲には釘抜き時に発生する粉塵を吸引するカバー部が設けられているので、釘抜き中に発生する粉塵を掃除機で吸引することができ、外部への飛散を防ぐことができる。
【００１３】
そして、請求項４記載の石綿含有屋根材の止め釘の抜き具は、第１の釘頭掛止部の基側または第１の折れ曲がり部には水平孔が設けられ、カバー部とは水平孔に挿通するピンによって連結されているので、釘抜き本体に対して取付けたカバー部を一体として扱うことができる。
【考案を実施するための最良の形態】
【００１４】
続いて、添付した図面を参照しつつ、本考案を具体化した実施の形態につき説明し、本考案の理解に供する。
ここで、図１（Ａ）、（Ｂ）はそれぞれ本考案の一実施の形態に係る石綿含有屋根材の止め釘の抜き具の説明図、（Ｃ）は他の実施の形態に係る石綿含有屋根材の止め釘の抜き具の説明図、図２は同一部省略斜視図である。
【００１５】
図１、図２に示すように、本考案の一実施の形態に係る石綿含有屋根材の止め釘の抜き具１０は、釘１１の頭部１２を引っかけるＶ字状切り込み１３が先部に形成された第１の釘頭掛止部１４と、第１の釘頭掛止部１４の基部に第１の折れ曲がり部１５を介して連接される柄部１６と、第１の釘頭掛止部１４の周囲を覆う上部開放のカバー部１７を有している。以下、これらについて詳しく説明する。なお、図１（Ａ）に示すように、一つの鉄棒を加工して作られ、第１の釘頭掛止部１４と、第１の折れ曲がり部１５および柄部１６とを有して釘抜き本体１８が形成されている。
【００１６】
第１の釘頭掛止部１４の底面１９は平面状となって、しかも第１の釘頭掛止部１４の先部は刃角αが１５〜４０度の平刃状となってその中央にＶ字状切り込み１３が形成されている。図１（Ｂ）に示すように、平刃状となった先部の幅ｗは、第１の釘頭掛止部１４の基側の幅ａの０．５〜１倍となっている。また、Ｖ字状切り込み１３は通常の釘抜きと同じように、Ｖ字状切り込み１３の下端に連続する部分には、底面１９に対して角度２０〜４５度の傾斜面２０が形成されて、頭部１２が載るようになっている。
【００１７】
この第１の釘頭掛止部１４の基側には、第１の折れ曲がり部１５を介して柄部１６が設けられているが、柄部１６と第１の釘頭掛止部１４の角度は８５〜９５度程度となっている。第１の釘頭掛止部１４の基側の上下方向中心位置には直径が５〜８ｍｍの水平孔２１が形成されている。
また、柄部１６の基側には第１の釘頭掛止部１４と実質的に同一構造の第２の釘頭掛止部２２が第２の折れ曲がり部２３を介して連接されている。第２の折れ曲がり部２３は僅少の角度しか折れ曲がっておらず、柄部１６に対する第２の釘頭掛止部２２の角度が５〜２０度の範囲となっている。
【００１８】
第１の釘頭掛止部１４の周囲に設けられているカバー部１７は、内側にある鉄製の枠組本体部２４とその周囲にある折り曲げ可能な透明合成樹脂シート製の覆いカバー２５とを有し、枠組本体部２４の先側には図示しない掃除機のホースに連結されるねじ部２６ａを有する接続口の一例である連結パイプ２６が設けられている。枠組本体部２４は、底部開放の周壁２７を有し、対向する周壁２７に貫通孔２８が設けられ、釘抜き本体１８の第１の釘頭掛止部１４に設けられた水平孔２１を貫通するピン２９が挿通されている。
なお、水平孔２１の位置は、釘１１の引き抜き作業時、貫通孔２８の位置も考慮した上で、カバー部１７の変動を最小限にする位置に設けるのが好ましい。また、本実施の形態では第１の釘頭掛止部１４に水平孔２１を設けたが、場合によっては第１の折れ曲がり部１５に水平孔２１を設けてもよい。
【００１９】
貫通孔２８の位置は、枠組本体部２４を開放された底面を下にして石綿含有屋根材３１の上に置いた場合、釘抜き本体１８の第１の釘頭掛止部１４の先側の底面１９が石綿含有屋根材３１の上に確実に当接する位置、またはその位置より０．５〜２ｍｍ低い位置に形成されている。枠組本体部２４の周壁２７の高さは４〜７ｃｍの範囲にあって、釘抜き本体１８の後部、即ち第１の折れ曲がり部１５の上部または柄部１６の下部を図示しないハンマーで叩き、石綿含有屋根材３１を止めていた釘１１の頭部１２が第１の釘頭掛止部１４のＶ字状切り込み１３に嵌入できるようになっている。
【００２０】
覆いカバー２５は、釘抜き時に発生する粉塵が外部に漏れないようにするもので、上部に釘抜き本体１８の第１の折れ曲がり部１５の上部または柄部１６の下部が突出するための開口が設けられている。
【００２１】
従って、この石綿含有屋根材の止め釘の抜き具１０を使用する場合には、カバー部１７を有する石綿含有屋根材の止め釘の抜き具１０を持って、抜こうとする釘１１の上にカバー部１７を配置する。この場合、釘抜き本体１８の第１の釘頭掛止部１４のＶ字状切り込み１３が釘１１の頭部１２の直前にあるように、全体を配置し、連結パイプ２６に掃除機が接続されているものとする。そして、第１の釘頭掛止部１４の底面１９を石綿含有屋根材３１に当接させた状態で、カバー部１７から露出している釘抜き本体１８の後部をハンマーで叩くと、Ｖ字状切り込み１３に頭部１２が掛合する。この状態で柄部１６を回動させると釘１１が抜ける。
【００２２】
図１（Ｃ）は本考案の他の実施の形態に係る石綿含有屋根材の止め釘の抜き具の第１の釘頭掛止部３３を示す。図に示すように、釘頭掛止部３３の先側の底面３４は平面状であり、釘頭掛止部３３の軸心に対して角度を有する傾斜面となっているが、釘頭掛止部３３の先部は図１（Ｂ）に示すように平刃状となっている。その他の構成は石綿含有屋根材の止め釘の抜き具１０と同一である。このように釘頭掛止部３３の先部の角度を大きくすることによって、より長い釘であっても抜くことが容易となる。
【００２３】
前記実施の形態は、具体的数字を用いて説明したが、本考案はこの数字に限定されるものではなく、本考案の要旨を変更しない範囲で数値を変えることは可能である。
また、前記実施の形態においては、カバー部１７は必ずしも必須の要件ではなく、例えば、第２の釘頭掛止部２２を用いて釘１１を抜く場合、カバー部１７を使用しないで釘抜きを行う場合も本考案は適用される。
【図面の簡単な説明】
【００２４】
【図１】（Ａ）、（Ｂ）はそれぞれ本考案の一実施の形態に係る石綿含有屋根材の止め釘の抜き具の説明図、（Ｃ）は他の実施の形態に係る石綿含有屋根材の止め釘の抜き具の説明図である。
【図２】同一部省略斜視図である。
【図３】（Ａ）〜（Ｃ）は従来例に係る釘抜きの説明図であって、（Ｂ）は図３（Ａ）のＡ−Ａ矢視図、（Ｃ）は図３（Ａ）のＢ−Ｂ矢視図である。
【符号の説明】
【００２５】
１０：石綿含有屋根材の止め釘の抜き具、１１：釘、１２：頭部、１３：Ｖ字状切り込み、１４：第１の釘頭掛止部、１５：第１の折れ曲がり部、１６：柄部、１７：カバー部、１８：釘抜き本体、１９：底面、２０：傾斜面、２１：水平孔、２２：第２の釘頭掛止部、２３：第２の折れ曲がり部、２４：枠組本体部、２５：覆いカバー、２６：連結パイプ、２６ａ：ねじ部、２７：周壁、２８：貫通孔、２９：ピン、３１：石綿含有屋根材、３３：第１の釘頭掛止部、３４：底面
【図１】
0003131133.tif 000003
【図２】
0003131133.tif 000004
【図３】
0003131133.tif 000005